(57)【特許請求の範囲】
【請求項１】
画像形成条件に応じた形成対象画像の画像形成状態を示すプレビュー画像を操作表示部に表示する画像形成装置であって、
前記プレビュー画像を表示する第１の表示領域と、第１の表示領域がタッチされると出現する吹き出しの中に初期及び使用者によって設定されたものを境界線で区別した前記画像形成条件の一覧を絵柄で表示する第２の表示領域と、を含むプレビュー画面を前記操作表示部に表示させ、前記操作表示部が受け付けた画像形成条件更新指示に基づいて前記画像形成条件を更新すると共に前記プレビュー画像を更新する制御部を具備することを特徴とする画像形成装置。
【請求項２】
前記制御部は、前記画像形成条件の一覧の中から選択された画像形成条件に対する画像形成条件解除指示を前記操作表示部が受け付けると、選択された画像形成条件の設定を解除すると共に当該画像形成条件の設定を解除した前記プレビュー画像を前記操作表示部に表示させることを特徴とする請求項１記載の画像形成装置。
【請求項３】
前記制御部は、追加候補の画像形成条件の一覧を第３の表示領域に表示させ、前記追加候補の画像形成条件の一覧の中から選択されたものを画像形成条件に追加すると共に追加された画像形成条件を反映した前記プレビュー画像を前記操作表示部に表示させることを特徴とする請求項１または２記載の画像形成装置。
【請求項４】
前記制御部は、前記画像形成条件の一覧の中から選択された画像形成条件に対する画像
形成条件変更指示を前記操作表示部が受け付けると、選択された画像形成条件における設定値の一覧を第２の表示領域に表示させ、選択された画像形成条件の設定値を前記設定値の一覧の中から選択されたものに変更すると共に設定値が変更された画像形成条件を反映した前記プレビュー画像を前記操作表示部に表示させることを特徴とする請求項１〜３のいずれか一項に記載の画像形成装置。
【請求項５】
前記制御部は、前記プレビュー画像に反映された画像形成条件の中から所定の画像形成
条件が選択されると、前記画像形成条件の一覧において選択された画像形成条件を前記操作表示部に強調表示させることを特徴とする請求項１〜４記載の画像形成装置。
【発明の詳細な説明】
【技術分野】
【０００１】
本発明は、画像形成装置に関する。
【背景技術】
【０００２】
現在、複合機及び複写機等の画像形成装置では、複写等の画像形成の実行の前に、その画像形成の仕上がり具合を認識できるようにする為に、原稿から読み取った原稿画像データに基づいて画像形成プレビュー画像をタッチパネル等の表示部に表示するものが存在する。さらに、このようの画像形成装置において画像形成の各種条件を反映させた画像形成プレビューを表示させる技術も開示されている。例えば、下記特許文献１には、複雑な設定を行う場合でも、仕上がり画像（上記画像形成プレビュー画像に相当）を表示することによって操作ミスや確認のために用紙等を無駄にすることなく、容易に適切な画像形成や後処理を行えるようにする画像形成装置が開示されている。
【０００３】
この画像形成装置は、画像形成後の用紙に対して後処理を行う後処理手段と、その後処理の種類を選択する後処理選択手段とを有する画像形成装置であって、画像データ蓄積手段に蓄積された画像データを縮小サイズの画像データに変換する画像データ縮小手段と、前記後処理選択手段によって選択された後処理を施した状態の縮小前の画像データを画像データ縮小手段によって縮小した仕上がり画像を表示する仕上がり画像表示手段とを具備する。
【特許文献１】特開２００３−８７５６０号公報
【発明の開示】
【発明が解決しようとする課題】
【０００４】
ところで、上記従来技術では、画像形成の各種条件を反映させた画像形成プレビュー画像をタッチパネル等の表示部に表示させることによって画像形成の仕上がり具合を事前に認識できるようにしているが、その各種条件とは、ユーザによる手動操作によって選択されたものを対象としており、予め自動設定されている初期条件は含まれていない。その為、ユーザは、画像形成プレビュー画像の表示時に正確な画像形成条件を認識することが出来ない。
【０００５】
また、上記従来技術では、画像形成プレビュー画像を確認して画像形成条件の解除または追加をしようとする場合に、一度画像形成プレビュー画像を表示する画面を閉じて画像形成条件の解除または追加を行い、そして再度画像形成プレビュー画像を表示するという操作手順を踏まなければならない。その為に、ユーザは、画像形成条件の解除または追加等を行う度に、煩雑な操作を繰り返し行わなければならず、余計な労力を費やさなければならなかった。
【０００６】
本発明は、上述した事情に鑑みてなされたものであり、画像形成プレビュー画像表示時に正確な画像形成条件を認識することが出来ると共に画像形成条件の設定し直しにおける操作の手間を従来より軽減することが出来る画像形成装置を提供することを目的とする。
【課題を解決するための手段】
【０００７】
上記目的を達成するために、本発明では、画像形成装置に係る第１の解決手段として、画像形成条件に応じた形成対象画像の画像形成状態を示すプレビュー画像を表示部に表示する画像形成装置であって、操作部と、前記プレビュー画像を表示する第１の表示領域と、初期及び使用者によって設定されたものを区別した前記画像形成条件の一覧を表示する第２の表示領域とを含むプレビュー画面を前記表示部に表示させ、前記操作部が受け付けた画像形成条件更新指示に基づいて前記画像形成条件を更新すると共に前記プレビュー画像を更新する制御部とを具備するという手段を採用する。
【０００８】
本発明では、画像形成装置に係る第２の解決手段として、上記第１の解決手段において、前記制御部は、前記画像形成条件の一覧を図形によって表現するという手段を採用する。
【０００９】
本発明では、画像形成装置に係る第３の解決手段として、上記第１または第２の解決手段において、前記制御部は、前記画像形成条件の一覧の中から選択された画像形成条件に対する画像形成条件解除指示を前記操作部が受け付けると、選択された画像形成条件の設定を解除すると共に当該画像形成条件の設定を解除した前記プレビュー画像を前記表示部に表示させるという手段を採用する。
【００１０】
本発明では、画像形成装置に係る第４の解決手段として、上記第１〜第３いずれかの解決手段において、前記制御部は、追加候補の画像形成条件の一覧を前記第２の表示領域に表示させ、前記追加候補の画像形成条件の一覧の中から選択されたものを画像形成条件に追加すると共に追加された画像形成条件を反映した前記プレビュー画像を前記表示部に表示させるという手段を採用する。
【００１１】
本発明では、画像形成装置に係る第５の解決手段として、上記第１〜第４いずれかの解決手段において、前記制御部は、前記画像形成条件の一覧の中から選択された画像形成条件に対する画像形成条件変更指示を前記操作部が受け付けると、選択された画像形成条件における設定値の一覧を第２の表示領域に表示させ、選択された画像形成条件の設定値を前記設定値の一覧の中から選択されたものに変更すると共に設定値が変更された画像形成条件を反映した前記プレビュー画像を前記表示部に表示させるという手段を採用する。
【００１２】
本発明では、画像形成装置に係る第６の解決手段として、上記第１〜第５いずれかの解決手段において、前記制御部は、前記プレビュー画像に反映された画像形成条件の中から所定の画像形成条件が選択されると、前記画像形成条件の一覧において選択された画像形成条件を前記表示部に強調表示させるという手段を採用する。
【発明の効果】
【００１３】
本発明によれば、画像形成装置が、画像形成条件に応じた形成対象画像の画像形成状態を示すプレビュー画像を表示部に表示する画像形成装置であって、操作部と、プレビュー画像を表示する第１の表示領域と、初期及び使用者によって設定されたものを区別した画像形成条件の一覧を表示する第２の表示領域とを含むプレビュー画面を表示部に表示させ、操作部が受け付けた画像形成条件更新指示に基づいて画像形成条件を更新すると共にプレビュー画像を更新する制御部とを具備することによって、ユーザは、プレビュー画像の表示時に初期及び使用者によって設定された画像形成条件を正確に判断することが出来る。また、プレビュー画像を表示した状態で、画像形成条件の更新をすることが出来る為、画像形成条件の設定し直しにおける操作の手間を従来より軽減することが出来る。
【発明を実施するための最良の形態】
【００１４】
以下、図面を参照して、本発明の一実施形態について説明する。本発明の画像形成装置の一つである複写機能、印刷機能及びＦＡＸ送信／受信機能を併せ持つ複合機に関する。図１は本実施形態に係る複合機Ａの機能ブロック図である。複合機Ａは、ＣＰＵ(Central Processing Unit)１、ＲＯＭ(Read Only Memory)２、ＲＡＭ(Random Access Memory)３、各種センサ群４、用紙搬送部５、画像読取部６、画像データ記憶部７、画像形成部８、通信Ｉ／Ｆ部９及び操作表示部１０を備えている。
【００１５】
ＣＰＵ１は、ＲＯＭ２に記憶されている制御プログラム、画像データ記憶部７に記憶されている原稿画像データ、通信Ｉ／Ｆ部９を介して外部機器から入力される各種指示及び操作表示部１０から入力される操作指示に基づいて複合機Ａの全体動作を制御する。このＣＰＵ１の制御処理の詳細については、以下に複合機Ａの動作として説明する。
ＲＯＭ２は、ＣＰＵ１で実行される制御プログラム及びその他のデータを記憶する不揮発性メモリである。
ＲＡＭ３は、ＣＰＵ１が制御プログラムを実行して各種動作を行う際に、データの一時保存先となるワーキングエリアとして用いられる揮発性メモリである。
【００１６】
各種センサ群４は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１に出力する。
用紙搬送部５は、用紙トレイに収納されている印刷用紙を画像形成部８に搬送するための搬送ローラ及び搬送ローラ駆動用のモータや、画像形成処理後の印刷用紙を図示しない排紙トレイに搬送するための搬送ローラ及び搬送ローラ駆動用のモータなどから構成されている。
画像読取部６は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部６は、原稿画像データをＣＰＵ１に出力し、一方、ＣＰＵ１は、原稿画像データを画像データ記憶部７に記憶させる。
【００１７】
画像データ記憶部７は、例えばフラッシュメモリであり、ＣＰＵ１の要求に応じて原稿画像データを記憶する一方、原稿画像データをＣＰＵ１に出力する。
画像形成部８は、ＣＰＵ１の制御の下、画像データ記憶部７に記憶されている原稿画像データに基づいて、用紙搬送部５から搬送される印刷用紙にトナーによって形成される印刷画像を転写し、当該印刷画像の定着処理を行う。
通信Ｉ／Ｆ部９は、ローカルエリアネットワーク（図示略）を介してパーソナルコンピュータ（図示略）等の外部機器に接続し、この外部機器との間で各種信号の送受信を行う。
【００１８】
操作表示部１０は、スタートキー、ストップキー、電源キー、テンキー（数値入力キー）、タッチパネル１０ａ、クリアキーやその他の各種操作キー、を備えており、それぞれのキーの操作指示をＣＰＵ１に出力すると共に、ＣＰＵ１の制御の下、タッチパネル１０ａに種々の画面を表示する。
【００１９】
次に、上記のように構成された本実施形態に係る複合機Ａの動作について図２及び図３を参照して詳しく説明する。図２及び図３（図２の続き）は、本実施形態に係る複合機Ａの動作を示すフローチャートである。
まず、複合機Ａによって原稿をコピーしようとするユーザは、タッチパネル１０ａが表示するコピー条件等を操作する為のコピー操作画面または／及び操作表示部１０の操作によってコピー処理おける各種コピー条件を設定する。そして、ユーザは、コピー条件の設定を完了すると、画像読取部６の上記ＡＤＦに原稿をセットし、操作表示部１０が備えるスタートキーを押下する。
【００２０】
ＣＰＵ１は、スタートキーの押下によって操作表示部１０がコピープレビュー表示指示を受け付けたか否か判定し（ステップＳ１）、ステップＳ１において『ＮＯ』と判定した場合には、すなわち操作表示部１０がコピープレビュー表示指示を受け付けていない場合には、操作表示部１０がコピープレビュー表示指示を受け付けるまで待機する。
【００２１】
ＣＰＵ１は、ステップＳ１において『ＹＥＳ』と判定した場合には、すなわち操作表示部１０がコピープレビュー表示指示を受け付けた場合には、ＡＤＦへセットされている原稿から原稿画像を画像読取部６に読み取らせると共に原稿画像データを生成させ（ステップＳ２）、画像読取部６から入力される原稿画像データに基づくコピープレビュー画像を有するコピープレビュー画面をタッチパネル１０ａに表示させる（ステップＳ３）。
【００２２】
上記ステップＳ３においてタッチパネル１０ａが表示するコピープレビュー画面ついて図４を参照して説明する。図４は、タッチパネル１０ａが表示するコピープレビュー画面を示す図である。図４に示すようにコピープレビュー画面には、その左側にコピープレビュー画像表示領域が設けられている。上記コピープレビュー画像は、このコピープレビュー画像表示領域に表示される。なお、図４に示すコピープレビュー画面のコピープレビュー画像は、初期設定として用紙サイズ「Ａ４」及び片面コピー、ユーザによる手動操作によってページ集約「２ｉｎ１」及びステープルが設定された場合のものである。なお、コピー条件に応じたコピープレビュー画像は、ＣＰＵ１が、コピー条件の組み合わせに応じたコピープレビュー画像用のグラフィックを予めＲＯＭ２に記憶させ、コピー条件の組み合わせに応じてＲＯＭ２が記憶するコピープレビュー画像用のグラフィックを選択し、そのコピープレビュー画像用のグラフィックに原稿画像データを合成したものを表示させている。
【００２３】
ＣＰＵ１は、ステップＳ３の後にタッチパネル１０ａが表示するコピープレビュー画面のコピープレビュー画像がタッチされたか否か判定し（ステップＳ４）、ステップＳ４において『ＮＯ』と判定した場合には、すなわちコピープレビュー画像がタッチされていない場合には、タッチパネル１０ａが表示するコピープレビュー画像がタッチされるまで待機し、ステップＳ４において『ＹＥＳ』と判定した場合には、すなわちタッチパネル１０ａが表示するコピープレビュー画像がタッチされた場合には、設定されている各種コピー条件をコピー条件一覧によってコピープレビュー画面へタッチパネル１０ａに表示させる（ステップＳ５）。
【００２４】
上記ステップＳ５においてタッチパネル１０ａが表示するコピープレビュー画面のコピー条件一覧について図５を参照して説明する。図５は、タッチパネル１０ａが表示するコピー条件一覧を有するコピープレビュー画面を示す図である。図５に示すように、ステップＳ５においてタッチパネル１０ａが表示するコピープレビュー画面には、その右側に吹き出し状のコピー条件一覧領域が設けられる。そして、上記コピー条件一覧は、このコピー条件一覧領域に表示される。このコピー条件一覧領域のコピー条件一覧には、予めコピーの初期条件として設定されている初期コピー条件と、ユーザによる操作表示部１０の手動操作によって設定されたユーザ設定コピー条件とが、区別されて表示される。
【００２５】
なお、図５に示すコピー条件一覧は、初期コピー条件として用紙サイズ「Ａ４」及び片面コピーが設定され、さらにユーザ設定コピー条件としてページ集約「２ｉｎ１」及びステープルが設定された場合のものである。図５に示すように、各種コピー条件は、それぞれに応じたアイコンによって表現する。これは、各種コピー条件に応じたアイコンを予めＲＯＭ２に記憶させ、ＣＰＵ１が設定されたコピー条件に応じたアイコンを選択し、その選択したアイコンを表示させている。
【００２６】
また、コピー条件一覧領域には、「キャンセル」ボタン、「追加」ボタンが表示されている。操作表示部１０は、「キャンセル」ボタンの押下によってコピー条件解除指示を受け付け、「追加」ボタンの押下によってコピー条件追加指示を受け付ける。操作表示部１０がコピー条件解除指示またはコピー条件追加指示を受け付けた場合のＣＰＵ１が実行する処理については、以下で説明する。
【００２７】
ＣＰＵ１は、ステップＳ５の後に、「キャンセル」ボタン押下によるコピー条件解除指示または「追加」ボタン押下によるコピー条件追加指示を受け付けたか否か判定し（ステップＳ６）、ステップＳ６において操作表示部１０がコピー条件解除指示を受け付けたと判定した場合には、タッチパネル１０ａが表示するユーザ設定コピー条件のいずれかがタッチされることによって選択されているか否か判定する（ステップＳ７）。
【００２８】
ＣＰＵ１は、ステップＳ７において『ＮＯ』と判定した場合には、すなわちタッチパネル１０ａが表示するユーザ設定コピー条件が選択されていない場合には、ステップＳ６に移行し、ステップＳ７において『ＹＥＳ』と判定した場合には、すなわちユーザ設定コピー条件のいずれかが選択されていた場合には、選択されているコピー条件の設定を解除すると共に解除されたコピー条件に対応するアイコンをユーザ設定コピー条件から削除する（ステップＳ８）。
【００２９】
上記ステップＳ８におけるコピープレビュー画面のユーザ設定コピー条件の削除について図６を参照して説明する。図６は、ページ集約「２ｉｎ１」が解除された場合にタッチパネル１０ａが表示するコピープレビュー画面を示す図である。例えば、上記ステップＳ７において図５に示すページ集約「２ｉｎ１」を示すアイコンが選択されていた場合には、ステップＳ８においてユーザ設定コピー条件からページ集約「２ｉｎ１」に対応するアイコンが削除されることによって図６に示すコピープレビュー画面を表示する。
【００３０】
そして、ＣＰＵ１は、上記ステップＳ６において操作表示部１０がコピー条件追加指示を受け付けた場合には、コピープレビュー画面のコピー条件一覧を追加候補のコピー条件の一覧である追加コピー条件一覧へタッチパネル１０ａに切り替えさせる（ステップＳ９）。上記ステップＳ９においてタッチパネル１０ａが表示するコピープレビュー画面の追加コピー条件一覧について図７を参照して説明する。図７は、タッチパネル１０ａが表示するコピープレビュー画面の追加コピー条件一覧を示す図である。図７に示すように、ステップＳ９においてタッチパネル１０ａが表示するコピープレビュー画面には、その右側に追加コピー条件一覧領域が設けられる。そして、追加コピー条件一覧は、この追加コピー条件一覧領域に表示される。
【００３１】
ＣＰＵ１は、ステップＳ９の後に、タッチパネル１０ａが表示するコピープレビュー画面の追加コピー条件一覧のいずれかがタッチによって選択されたか否か判定し（ステップＳ１０）、ステップＳ１０において『ＮＯ』と判定した場合には、すなわち追加コピー条件が選択されていない場合には、追加コピー条件が選択されるまで待機し、ステップＳ１０において『ＹＥＳ』と判定した場合には、すなわち追加コピー条件のいずれかが選択された場合には、選択された追加コピー条件に応じてコピープレビュー画像を更新する（ステップＳ１１）。
【００３２】
上記ステップＳ１１においてタッチパネル１０ａが表示する更新されたコピープレビュー画像について図８を参照して説明する。図８は、追加するコピー条件としてページ番号挿入が選択された場合にタッチパネル１０ａが表示するコピープレビュー画面のコピープレビュー画像を示す図である。例えば、ステップＳ１０において追加コピー条件一覧からページ番号挿入が選択された場合には、ステップＳ１１において図８に示すようにタッチパネル１０ａが表示するコピープレビュー画面のコピープレビュー画像はページ番号を挿入したものに更新される。なお、これは、上記ステップＳ３と同様に、ＣＰＵ１がコピー条件の組み合わせに応じてコピープレビュー画像用のグラフィックを選択し、そのコピープレビュー画像用のグラフィックに原稿画像データを合成したものを表示させている。
【００３３】
ＣＰＵ１は、ステップＳ１１の後にタッチパネル１０ａが表示するコピープレビュー画面のコピープレビュー画像がタッチされたか否か判定し（ステップＳ１２）、ステップＳ１２において『ＮＯ』と判定した場合には、すなわちコピープレビュー画像がタッチされていない場合には、タッチパネル１０ａが表示するコピープレビュー画像がタッチされるまで待機し、ステップＳ１２において『ＹＥＳ』と判定した場合には、すなわちタッチパネル１０ａが表示するコピープレビュー画像がタッチされた場合には、設定されている各種コピー条件をコピー条件一覧によってコピープレビュー画面へタッチパネル１０ａに表示させる（ステップＳ１３）。
【００３４】
上記ステップＳ１３においてタッチパネル１０ａが表示するコピープレビュー画面のコピー条件一覧について図９を参照して説明する。図９は、コピー条件としてページ番号挿入が追加された場合にタッチパネル１０ａが表示するコピー条件一覧を有するコピープレビュー画面の示す図である。図９の（ａ）は、ユーザ設定コピー条件の１ページ目を表示するコピープレビュー画面を示し、図９の（ｂ）は、ユーザ設定コピー条件の２ページ目を表示するコピープレビュー画面を示している。ステップＳ１３において、ユーザ設定コピー条件をコピー条件一覧領域に１ページで表示できない場合には、図９の（ａ）及び（ｂ）に示すようにユーザ設定コピー条件を１ページ目と２ページ目に分けて表示する。そして、そのような場合に、図９の（ａ）及び（ｂ）に示すようにコピー条件一覧領域にページ送りボタンを表示して、ページ送りボタンの押下によってユーザ設定コピー条件の１ページ目と２ページ目を切り替える。なお、図９に示すユーザ設定コピー一覧は、ページ集約「２ｉｎ１」、ステープル及びページ番号挿入が設定された場合のものである。
【００３５】
ＣＰＵ１は、ステップＳ１３の後にコピープレビュー画像におけるコピー条件の該当箇所がタッチされることによって選択されたか否か判定し（ステップＳ１４）、ステップＳ１４において『ＹＥＳ』と判定した場合には、すなわちコピープレビュー画像におけるコピー条件の該当箇所がタッチされることによって選択された場合には、選択されたコピー条件以外の各種コピー条件をグレイアウト表示したコピープレビュー画面をタッチパネル１０ａに表示させる（ステップＳ１５）。
【００３６】
上記ステップＳ１５においてタッチパネル１０ａが表示する各種コピー条件をグレイアウト表示したコピープレビュー画面について図１０を参照して説明する。図１０は、コピープレビュー画像のステープルが選択された場合にタッチパネル１０ａが表示するコピープレビュー画面の各種コピー条件のグレイアウト表示を示す図である。例えば、ステップＳ１４においてステープルが選択された場合には、ステップＳ１５において図１０に示すようにステープルを示すアイコン以外のページ集約「２ｉｎ１」、用紙サイズ「Ａ４」及び片面コピーを示すアイコンがグレイアウト表示される。
【００３７】
ＣＰＵ１は、ステップＳ１５の後に、スタートキー押下によるコピー実行指示を操作表示部１０が受け付けたか否か判定し（ステップＳ１６）、ステップＳ１６において『ＮＯ』と判定した場合には、すなわち操作表示部１０がコピー実行指示を受け付けるまで待機し、ステップＳ１６において『ＹＥＳ』と判定した場合には、すなわちステップＳ１６において『ＹＥＳ』と判定した場合には、設定されているコピー条件に従って画像形成部８に用紙上に印刷画像を画像形成させる（ステップＳ１７）。
ＣＰＵ１は、ステップＳ１４において『ＮＯ』と判定した場合には、すなわちコピープレビュー画像におけるコピー条件の該当箇所が選択されていない場合には、ステップＳ１６に移行する。また、ＣＰＵ１は、ステップＳ８の後に、ステップＳ１６に移行する。
【００３８】
以上のように、本実施形態に係る複合機Ａでは、ＣＰＵ１が、コピープレビュー画像表示時にコピー条件一覧領域において初期条件として設定されている初期コピー条件と、ユーザによる手動操作によって設定されたユーザ設定コピー条件とを区別してアイコンによって表示させる為、ユーザは、コピープレビュー画像の表示時に画像形成前に正確なコピー条件を認識することが出来る。
【００３９】
また、複合機Ａにおいて、ＣＰＵ１は、コピープレビュー画面にコピープレビュー画像を表示させた状態で、選択されたコピー条件に対するコピー条件解除指示を操作表示部１０が受け付けると、選択されているコピー条件を解除すると共に解除されたコピー条件をコピープレビュー画像から削除する。また、ＣＰＵ１は、コピープレビュー画像を表示させた状態で、操作表示部１０がコピー条件追加指示を受け付けると、追加コピー条件一覧を表示し、追加されるコピー条件が選択されるとこの追加コピー条件を反映させたコピープレビュー画像に更新する。
【００４０】
このことによって、ユーザは、コピー条件の解除または追加を行う度に、一度コピープレビュー画像を表示する画面を閉じて画像形成条件の解除または追加を実行し、そして再度コピープレビュー画像を表示させるという煩雑な操作を繰り返し行う必要がなくなる為、コピー条件の設定し直しにおける操作の手間を従来より軽減することが出来る。
【００４１】
以上、本発明の一実施形態について説明したが、本発明は上記実施形態に限定されることなく、例えば以下のような変形が考えられる。
（１）上記実施形態では、コピープレビュー画面に「キャンセル」ボタン及び「追加」ボタンを表示させ、これによってコピー条件の解除及び追加を行ったが、本発明はこれに限定されない。
例えば、「キャンセル」ボタン及び「追加」ボタンだけではなく、「変更」ボタンを表示させ、例えば、ページ集約「２ｉｎ１」が選択された状態で「変更」ボタンが押下されると、ページ集約の「無効」、「２ｉｎ１」及び「４ｉｎ１」を選択する一覧画面を表示させ、その中から選択されたページ集約設定に変更するようにしてもよい。また、コピープレビュー画面に表示される「キャンセル」ボタン、「追加」ボタンまたは「変更」ボタンの押下によってコピープレビュー画像を更新するだけではなく、ステップＳ３においてコピープレビュー画面を表示する際に「ページ番号挿入」ボタン「２ｉｎ１」ボタン及び「４ｉｎ１」ボタン等の追加／変更候補のコピー条件ボタンを表示させ、これらボタンのいずれかが押下されるとコピープレビュー画像のコピー条件を更新するようにしてもよい。さらに、タッチパネル１０ａに表示させるソフトウェアキーの押下だけではなく、操作表示部１０が有するハードウェアキーが押下されるとコピープレビュー画像のコピー条件を更新するようにしてもよい。
【００４２】
（２）上記実施形態では、コピープレビュー画像におけるコピー条件の該当箇所がタッチされることによって選択された場合に、コピー条件一覧における選択されたコピー条件のアイコン以外のコピー条件のアイコンをグレイアウト表示することによって、選択されたコピー条件のアイコンを強調表示したが、本発明はこれに限定されない。
例えば、選択されたコピー条件のアイコン以外のコピー条件のアイコンをグレイアウト表示するのではなく、コピー条件一覧における選択されたコピー条件のアイコンを点滅表示させることによって、選択されたコピー条件のアイコンを強調表示するようにしてもよい。
【図面の簡単な説明】
【００４３】
【図１】本発明の一実施形態に係る複合機Ａの機能ブロック図である。
【図２】本発明の一実施形態に係る複合機Ａの動作を示すフローチャートである。
【図３】本発明の一実施形態に係る複合機Ａの動作を示すフローチャート（図２の続き）である。
【図４】本発明の一実施形態に係る複合機Ａのタッチパネル１０ａが表示するコピープレビュー画面を示す図である。
【図５】本発明の一実施形態に係る複合機Ａのタッチパネル１０ａが表示するコピー条件一覧を有するコピープレビュー画面を示す図である。
【図６】本発明の一実施形態に係る複合機Ａのタッチパネル１０ａが、ページ集約「２ｉｎ１」が解除された場合に表示するコピープレビュー画面を示す図である。コピー動作履歴画面を示す図である。
【図７】本発明の一実施形態に係る複合機Ａのタッチパネル１０ａが表示するコピープレビュー画面の追加コピー条件一覧を示す図である。
【図８】本発明の一実施形態に係る複合機Ａのタッチパネル１０ａが、追加コピー条件としてページ番号挿入が選択された場合に表示するコピープレビュー画面のコピープレビュー画像を示す図である。
【図９】本発明の一実施形態に係る複合機Ａのタッチパネル１０ａが、コピー条件としてページ番号表示が追加された場合に表示するコピー条件一覧を有するコピープレビュー画面の示す図である。
【図１０】本発明の一実施形態に係る複合機Ａのタッチパネル１０ａが、コピープレビュー画像のステープルが選択された場合に表示するコピープレビュー画面の各種コピー条件のグレイアウト表示を示す図である。
【符号の説明】
【００４４】
Ａ…複合機、１…ＣＰＵ、２…ＲＯＭ、３…ＲＡＭ、４…各種センサ群、５…用紙搬送部、６…画像読取部、７…画像データ記憶部、８…画像形成部、９…通信Ｉ／Ｆ部、１０…操作表示部、１０ａ…タッチパネル
【図１】
0005438916.tif 000002
【図２】
0005438916.tif 000003
【図３】
0005438916.tif 000004
【図４】
0005438916.tif 000005
【図５】
0005438916.tif 000006
【図６】
0005438916.tif 000007
【図７】
0005438916.tif 000008
【図８】
0005438916.tif 000009
【図９】
0005438916.tif 000010
【図１０】
0005438916.tif 000011